(57)【要約】【課題】魔法瓶から取り外さずに開口して、内容物をカップまたは他の容器に注ぐことができる、魔法瓶用ストッパを提供する。【解決手段】容器、例えば、魔法瓶の開口部のためのストッパ。ストッパは、押しボタンと、流入口と流出口との間に延在する流体流路と、流入口に隣接して位置する可動栓部分とを含む。付勢部材は、流入口と封止係合させるように栓部分に付勢し、それによって、容器の内容物が流路内に流入しないようにする。カム従動子は、付勢部材に対向してカム表面上に配置される。カム従動子は、押しボタンによって、カム表面に対して閉口位置から開口位置へ回転可能であり、そのように回転させたときに、カム表面上に付勢力を及ぼすが、該付勢力は、付勢部材が栓部分に及ぼす付勢力に打ち勝って、流入口から栓部を離間させるのに十分な力であり、それによって容器の内容物は、流路内へ流れ込むこと、および流出口から流れ出ることができる。【選択図】図２
2010188111.tif 000002
【特許請求の範囲】
【請求項１】
ストッパであって、
流入口と流出口との間に延在する開放流体流路を有する内側部分を画定する支持シェルと、
前記内側部分の内側に配置され、前記流体流路の前記流入口に隣接した開口部を有する弁筐体と、
前記弁筺体の内側に少なくとも部分的に配置された弁アセンブリと、を備え、
前記弁アセンブリは、
前記弁筐体の内側から前記開口部を通って前記支持シェルの外側に延在する細長い軸を有する可動弁部材であって、前記細長い軸は、前記弁筐体の内側の内側部分と、前記流体流路の前記流入口に隣接する栓に連結される前記支持シェルの外側の外側部分とを有する、可動弁部材と、
前記弁筺体内に配置され、前記細長い軸の内側部分に接続された付勢部材と、
閉口位置と開口位置との間を旋回するように前記支持シェルに旋回可能に取り付けられ、カム従動子を有するレバー部材と、
輪郭形成されたカム表面を有するリンク部材と、備え、
前記リンク部材は、前記細長い軸の内側部分に接続され、前記カム表面は、前記レバー部材の前記カム従動子に隣接し、前記カム従動子を前記閉口位置から前記開口位置に旋回させたときに、前記リンク部材を前記弁筐体内の前記開口部の方へ移動させ、また、前記細長い軸の前記内側部分を、前記弁筐体内の前記開口部の方へ移動させて、前記栓を前記流体流路の前記流入口から離して、それとの封止係合を外すように位置させるように輪郭形成され、前記カム表面は、前記カム従動子を前記開口位置から前記閉口位置へ旋回させたときに、前記付勢部材に、前記リンク部材を、前記弁筐体内の前記開口部から離れるように移動させ、また、前記細長い軸の前記内側部分を、前記弁筐体内の前記開口部から離れるように移動させて、前記栓を前記流体流路の流入口と封止係合するように位置させるようにさらに輪郭形成される、ストッパ。
【請求項２】
前記弁筐体は、その中に形成された案内溝を有し、前記リンク部材は、前記カム従動子に対して前記カム表面を配向するときに、前記案内溝の内側に摺動可能に受容されるように構成される突起を有する、請求項１に記載のストッパ。
【請求項３】
前記支持シェルは、前記流体流路の前記流入口と連通する、少なくとも１つの空気流路を備える、請求項１に記載のストッパ。
【請求項４】
前記流体流路の前記流入口は周辺部分を備え、前記ストッパは、前記カム従動子を閉口位置に旋回させて、前記栓を前記流入口と封止係合するように位置させたときに、前記流入口と前記栓との間に実質的な液密シールを形成するように構成される、前記流入口の前記周辺部分の周囲に配置された封止部材をさらに備える、請求項１に記載のストッパ。
【請求項５】
前記輪郭形成されたカム表面は、切欠部分を備え、前記カム従動子は、前記レバー部材が前記開口位置にあるときに、前記切欠部分内に位置し、前記切欠部分は、前記カム従動子を保持して、前記レバー部材を前記開口位置に維持する、請求項１に記載のストッパ。
【請求項６】
前記レバー部材は、前記レバー部材が前記開口位置にあるときに、前記支持シェルから上方へ延在するフラップ部分を備え、前記レバー部材は、前記カム従動子を、前記輪郭形成されたカム表面の前記切欠部分から外すのに十分な下向きの力を前記フラップ部分に付与することによって、前記開口位置から前記閉口位置へ旋回させることができる、請求項５に記載のストッパ。
【請求項７】
前記支持シェルは、外体の内側に入れ子にした内体を備え、
前記内体は、ねじ付き円筒接続部分を備え、
前記外体は、ねじ付き円筒接続部分を備え、
前記内体は、前記内体の前記ねじ付き円筒接続部分と前記外体の前記ねじ付き円筒接続部分とのねじ係合によって、前記外体と連結可能であり、
ねじ係合したときに、前記内体のねじ付き円筒接続部分、および前記外体のねじ付き円筒接続部分は、共に前記弁筐体を形成する、請求項１に記載のストッパ。
【請求項８】
前記支持シェルは、外体の内側に入れ子にした内体を備え、
前記内体は、前記弁筐体の側面に位置し、それぞれが切り欠きを有する一対の隔設された壁を有し、
前記レバー部材は、それぞれが、前記弁筐体の側面に位置する前記内体の前記隔設された壁の前記切り欠きにおいて受容される、対向端部を有する旋回ピンを備える、請求項１に記載のストッパ。
【請求項９】
前記内体は外表面を備え、
前記外体は内表面を備え、
前記支持シェルは、前記内体の外表面と、前記外体の内表面との間に配置された封止部材を備える、請求項８に記載のストッパ。
【請求項１０】
前記支持シェルは、前記流体流路の前記流出口に隣接した出口開口を有する上部分を備え、前記レバー部材は、フラップ部分を備え、前記フラップ部分は、前記レバー部材が前記閉口位置にあるときには前記出口開口を覆い、前記レバー部材が前記開口位置にあるときには前記出口開口から離間される、請求項１に記載のストッパ。
【請求項１１】
前記支持シェルは、前記出口開口に隣接した注ぎ口を備え、前記フラップ部分は、前記レバー部材が閉口位置にあるときに、前記注ぎ口の一部の上に載置される遠位縁部分を備える、請求項１０に記載のストッパ。
【請求項１２】
前記ストッパは、
実質的に直線の移動経路に沿って開口位置と閉口位置との間を移行可能な、前記レバー部材に連結される手動押しボタンをさらに備え、前記押しボタンは、ユーザによって前記開口位置へ選択的に押下げ可能であり、前記押しボタンは、押下げられたときに前記レバー部材を前記開口位置へ旋回させる、前記ユーザが使用するための、請求項１に記載のストッパ。
【請求項１３】
前記レバー部材は、前記レバー部材が開口位置にあるときに前記支持シェルから上方へ延在するフラップ部分を備え、前記フラップ部分は、前記ユーザによって、前記支持シェルの方へ選択的に回転可能であり、そのように回転させたときに、前記フラップ部分は、前記レバー部材を前記閉口位置へ旋回させて、前記手動押しボタンを、その実質的に直線の移動経路に沿って前記閉口位置へ移動させる、請求項１２に記載のストッパ。
【請求項１４】
前記レバー部材は、前記カム従動子から離間した旋回ピンをさらに備え、前記手動押しボタンは、前記手動押しボタンの実質的に直線の移動経路と実質的に直交する方向に沿って延在する、一対の隔設されたスロットを備え、前記手動押しボタンは、前記手動押しボタンの前記隔設されたスロットの内側に受容される前記旋回ピンによって、前記レバー部材に連結され、前記旋回ピンは、前記ユーザにより前記手動押しボタンが前記開口位置へ押下げられたときに、前記旋回ピンが旋回して前記スロット内で摺動するように、旋回可能かつ摺動可能にその中に取り付けられる、請求項１３に記載のストッパ。
【請求項１５】
内容物を格納するための中空の内側部分を有する容器とともに使用するためのストッパであって、前記容器は、前記内容物が通って前記容器の前記中空の内側部分を出ることができる、前記容器の前記中空の内側部分と連通する開口部をさらに備え、前記ストッパは、
前記容器の前記開口部に着脱可能に連結可能な連結部分と、
出口開口と、少なくとも１つの吸気口と、手動で押下可能な押しボタンとを有する、外部からアクセス可能な第１の部分と、
前記連結部分が前記容器の前記開口部に連結されたときに、前記容器の前記中空の内側部分と連通する入口開口を有する、第２の部分と、
前記入口開口と前記出口開口との間に延在する内部流体流路と、
前記外部からアクセス可能な第１の部分の前記少なくとも１つの吸気口と、前記入口開口との間に延在する、少なくとも１つの空気流経路であって、前記容器の前記中空の内側部分に空気を供給して、そこから出る前記内容物の少なくとも一部を、前記外部からアクセス可能な第１の部分の前記入口開口と、内部流体流路と、前記出口開口とを通って置き換える、少なくとも１つの空気流経路と、
前記入口開口に対して移動可能であり、前記入口開口に隣接した栓部分を有する弁部材であって、前記入口開口は、前記第２の部分に対して移動されたときに、前記容器の前記内容物が、前記入口開口内に流れ込まないようにサイズ設定および形成される、弁部材と、
前記弁部材に連結される付勢部材であって、前記第２の部分に対して前記栓部分を付勢して、前記容器の前記内容物が、前記入口開口内に流れ込まないようにするのに十分な、第１の方向の付勢力を前記弁部材に及ぼすように構成される付勢部材と、
前記手動で押下可能な押しボタンと前記弁部材との間に連結される弁開口アセンブリであって、前記手動で押下可能な押しボタンが押下げられたときに、前記付勢部材によって及ぼされた前記第１の方向の前記付勢力に打ち勝って、前記栓部分を前記第２の部分から離間するのに十分な、前記第１の方向と逆の第２の方向の移動力を前記弁部材に及ぼして、前記容器の前記内容物が、前記入口開口内に流れ込むように構成される、弁開口アセンブリと、を備える、ストッパ。
【請求項１６】
前記弁開口アセンブリは、前記容器の前記内容物が前記入口開口内に流れ込むように、前記第２の部分から所定の間隔を置いて、前記手動で押下可能な押しボタンを開口位置に、また前記栓部分を開口位置に選択的に固定するように構成される、ロックを備える、請求項１５に記載のストッパ。
【請求項１７】
前記弁部材は、前記弁開口アセンブリによって前記手動で押下可能な押しボタンに接続される近位端部分と、前記栓部分に連結される遠位端部分とを有する軸部分を備え、前記軸部分は、前記栓部分を前記入口開口に隣接して位置させる、請求項１５に記載のストッパ。
【請求項１８】
前記弁開口アセンブリは、前記弁部材の前記軸部分の前記近位端部分に連結されるカム表面と、前記手動で押下可能な押しボタンに連結されるカム従動子とを備え、
前記手動で押下可能な押しボタンは、前記手動で押下可能な押しボタンが押下げられたときに、内向きの力を前記カム従動子に伝達し、
前記カム従動子は、前記内向きの力によって前記カム表面に押し付けられて、前記内向きの力の少なくとも一部を前記カム表面に伝達し、
前記カム表面は、前記内向きの力の前記一部を、前記弁部材への前記第２の方向の前記移動力に変換して、前記弁部材の前記軸部分の前記近位端部分に前記第２の方向の前記付勢力を及ぼす、請求項１７に記載のストッパ。
【請求項１９】
前記カム従動子は、旋回ピンに連結され、前記旋回ピンの周囲を旋回するように構成され、
前記手動で押下可能な押しボタンが、前記内向きの力を前記カム従動子に伝達すると、前記カム従動子は、前記内向きの力によって前記カム表面に押し付けられるにしたがって前記旋回ピンの周囲を旋回する、請求項１８に記載のストッパ。
【請求項２０】
前記第２の部分は、前記栓部分が前記第２の部分に対して移動したときに、前記第２の部分と前記栓部分との間に実質的な液密封止を提供するように構成される、封止部材を備える、請求項１５に記載のストッパ。
【請求項２１】
容器内に開口部を画定するリム部分を有する前記容器とともに使用するストッパであって、
底部開口部を備えた下方部分を有する側壁によって画定された、実質的に中空の中央部分を有する外体であって、前記側壁は、前記容器の前記リム部分に着脱可能に連結可能であり、前記外体は、前記側壁の前記下方部分に隣接して、前記実質的に中空の内部の前記中央部分の内側に位置する連結部分をさらに備える、外体と、
上部分および流体流路および弁筺体に分割される内側部分を有する内体であって、前記外体の前記中空の中央部分の内側に入れ子式に構成され、前記外体の前記連結部分に着脱可能に連結されるように構成される連結部分をさらに備える、内体と、
前記内体の前記上部分に連結され、前記内体の前記流体流路と連通する第１の開口と、前記第１の開口から離間した第２の開口とを備える、上部カバーと、
前記外体の前記側壁の前記下方部分の周囲に配置され、前記底部開口部の周りに延在する、環状封止部材と、
軸部分を備えた可動弁部材と、前記外体の外側にあり、前記環状封止部材に隣接する外部栓部分とを有する弁アセンブリであって、前記軸部分は、前記弁筐体の内側から、前記外体内の前記底部開口部を通って、前記外部栓部分へ延在し、前記弁アセンブリは、前記弁筐体の内側の付勢部材に連結されるカム表面をさらに備え、前記付勢部材は、前記内部連結器の内側に配置された第１の部分と、前記軸部分に接続された第２の部分とを有し、前記付勢部材は、内向きの付勢力を前記軸部分に及ぼして、前記軸部分を内方へ付勢し、前記付勢力は、前記外部栓部分を前記環状封止部材に対して付勢するのに十分である、弁アセンブリと、
前記内体に旋回可能に連結され、前記上部カバー内の前記第１の開口を通って外方へ延在する可動フラップ部分と、前記弁アセンブリの前記カム表面に隣接して、前記内体の内側に位置するカム従動子とを有する、レバー部材と、
前記上部カバーの前記第２の開口の内側に配置され、前記レバー部材に連結される手動で動作可能な押しボタンであって、前記押しボタンは開口位置に押下げ可能であり、前記開口位置へ押下げたときに、前記レバー部材を旋回して、前記フラップ部分を、前記第１の開口および前記流体流路から離れるように移動させ、また、前記カム従動子を、前記付勢部材によって前記軸部分に及ぼされた前記内向きの付勢力に打ち勝つのに十分な外向きの力で、前記カム表面に沿って移動させ、それによって、前記外部栓部分を前記環状封止部材から離間する、押しボタンと、を備える、ストッパ。
【請求項２２】
前記リム部分によって画定される前記開口部内に延在する環状封止突起を有する容器とともに使用され、前記外体の前記側壁の前記下方部分の周りに配置される前記環状封止部材は、前記環状封止突起と係合して、該部材とともに実質的な液体封止を形成するように構成される、請求項２１に記載のストッパ。
【請求項２３】
前記内体の前記連結部分および前記外体の前記連結器部分は、それぞれねじを備え、前記内体の前記連結器部分の前記ねじは、前記外体の前記連結器部分の前記ねじと嵌合して、前記内体と外体とを互いに着脱可能に連結するように構成され、前記内体は、前記内体の前記ねじ付き連結器部分を、前記外体の前記ねじ付き連結器部分に連結するように、前記外体に対して第１の方向に回転可能であり、前記内体はさらに、前記内体の前記ねじ付き連結器部分を、前記外体の前記ねじ付き連結器部分から分離するように、前記外体に対して、前記第１の方向と逆の第２の方向に回転可能である、請求項２１に記載のストッパ。
【請求項２４】
魔法瓶であって、
内容物を格納するように構成される中空の内側部分を備えた本体であって、前記内容物が、前記中空の内側部分を出ることができる、前記中空の内側部分と連通する開口部を備えた本体と、
ストッパと、を含み、
前記ストッパは、
前記中空の内側部分と連通する前記開口部において前記本体に選択的に連結可能な連結器部分と、
出口開口と、少なくとも１つの吸気口と、手動で押下可能な押しボタンとを有する外側部分と、
前記外側部分に隣接して、前記中空の内側部分と連通する入口開口を有する内側部分と、
前記入口開口と前記出口開口との間に延在する内部流体流路と、
前記外側部分の前記少なくとも１つの吸気口と、前記内側部分の前記入口開口との間に延在する少なくとも１つの空気流経路であって、前記中空の内側部分に空気を提供して、前記外側部分の前記出口開口を通って該内側部分から出る任意の内容物を置き換える、少なくとも１つの空気流経路と、
前記手動で押下可能な押しボタンによって作動する弁アセンブリと、を備え、
前記弁アセンブリは、
前記入口開口に対して移動可能であり、前記入口開口に隣接した栓部分を有する弁部材であって、前記入口開口は、前記内側部分に対して移動されたときに、前記容器の前記内容物が、前記入口開口内に流れ込まないようにサイズ設定および形成される、弁部材と、
前記弁部材に連結され、前記内側部分に対して前記栓部分を付勢して、前記容器の前記内容物が、前記入口開口内に流れ込まないようにするのに十分な、第１の方向の付勢力を前記弁部材に及ぼす付勢部材と、
前記付勢部材に対向するカム表面と、
前記カム表面上に配置され、前記手動で押下可能な押しボタンに連結されるカム従動子であって、前記カム従動子は、前記手動で押下可能な押しボタンによって、前記カム表面に対して、閉口位置から開口位置へ回転可能であり、そのように回転したときに、前記付勢部材によって前記弁部材に及ぼされた前記第１の方向の前記付勢力に打ち勝って、前記栓部分が前記内側部分から離れるように移動させるのに十分な、前記第１の方向と逆の第２の方向の移動力を前記カム表面に及ぼして、前記容器の前記内容物が前記入口開口内に流れ込むようにする、カム従動子と、を備える、魔法瓶。
【請求項２５】
前記カム表面は、前記カム従動子が、前記カム表面に対して前記手動で押下可能な押しボタンによって、前記閉口位置から前記開口位置へ回転されたときに、前記カム従動子を保持して、前記カム従動子を前記開口位置に維持するように構成される、凹部を備える、請求項２４に記載の魔法瓶。
【請求項２６】
前記弁部材は、前記付勢部材に接続された近位端部分と、前記栓部分に連結される遠位端部分とを有する軸部分であって、前記栓部分を前記入口開口に隣接して位置決めする軸部分を備え、
前記弁アセンブリは、前記軸部分の前記近位端部分に連結されるキャップであって、前記入口開口に面する第１の表面と、前記第１の表面に対向して面する第２の表面とを有するキャップをさらに備え、
前記付勢部材は、前記キャップの前記第１の表面に隣接し、これに押し当たる第１の端部を備え、
前記カム表面は、前記キャップの前記第２の表面に隣接し、これに押し当たる、請求項２４に記載の魔法瓶。
【請求項２７】
内容物を格納するように構成される中空の内側部分を有する容器とともに使用するためのストッパであって、
手動で動作可能な押しボタンと、
流入口と流出口との間に延在する流体流路であって、前記流入口は、前記容器の前記中空の内側部分と連通する、流体流路と、
前記流入口に隣接して位置する可動栓と、
前記流入口を封止係合するように前記栓を付勢する第１の付勢力を前記栓に及ぼして、前記容器の前記内容物が前記流体流路内に流れ込まないように構成される付勢部材と、
前記栓に第２の付勢力を付与するように構成されるカム表面であって、前記第２の付勢力は、前記付勢部材によって及ぼされる前記第１の付勢力と逆向きである、カム表面と、
前記カム表面上に配置されたカム従動子であって、前記カム従動子は、前記押しボタンによって、前記カム表面に対して閉口位置から開口位置へ回転可能であり、そのように回転させたときに、前記第２の付勢力として前記カム表面によって前記栓へ伝達された、第３の付勢力を前記カム表面に及ぼし、前記伝達された第２の付勢力は、前記付勢部材によって前記栓に及ぼされた前記第１の付勢力に打ち勝って、前記栓を前記流入口から離間した位置へ移動させるのに十分な力であり、それによって前記容器の前記内容物は、前記流体流路内へ流れ込むこと、および前記流出口から流れ出ることができる、カム従動子と、を備える、ストッパ。
【発明の詳細な説明】
【技術分野】
【０００１】
本発明は、概して、食品または飲料容器に使用されるストッパに関し、より具体的には、魔法瓶から取り外さずに開閉するように構成された、魔法瓶に使用するストッパに関する。
【背景技術】
【０００２】
多くの人々は、旅行および仕事で、コーヒー、スープ、ホットチョコレート等の液体を運ぶのに魔法瓶を使用する。従来の魔法瓶は、上部開口部分に取り付けられた、ねじ付きの取り外し可能なストッパを有する。魔法瓶の内容物を利用するには、ストッパを取り外されなければならない。
【発明の概要】
【発明が解決しようとする課題】
【０００３】
しかしながら、これは、特にストッパを紛失する可能性がある、または非衛生的な場所に置かなければならないような仕事場においては常に実用的であるとは限らない。したがって、（魔法瓶から取り外さずに）開口して、魔法瓶の内容物をカップまたは他の容器に注ぐことができる、魔法瓶用ストッパが必要である。このような魔法瓶用ストッパは、魔法瓶の内容物に触れる内部構成要素を洗浄するのに、使用の合間に分解するのが望ましい。
【課題を解決するための手段】
【０００４】
本出願は、上記、および以下の詳細な説明および添付図面から明らかになるであろう他の利点を提供する。
【図面の簡単な説明】
【０００５】
【図１】閉口した形態で、飲料または食品容器の上側に示した、本発明に従って構成したストッパの斜視図である。
【図２】容器のリム部の内側部分内に位置し、閉口した形態を示す、図１のストッパと、容器のリム部の外側部分に連結され、ストッパを覆うカップの断面図である。
【図３】開口した形態を示す、図１のストッパの断面図である。
【図４】弁アセンブリの構成要素を除いた、図１のストッパの分解斜視図である。
【図５】押しボタン、上部カバー、およびレバー部材を示す、図１のストッパの分解斜視図である。
【図６】図５の押しボタン、上部カバー、およびレバー部材の断面図である。
【図７】図５の上部カバーの下側の斜視図である。
【図８】注ぎ口を示す、図１のストッパの内体の斜視図である。
【図９】図８の内体の断面図である。
【図１０】内体の注ぎ口の下から見た、内体、上部カバー、およびレバー部材のサブアセンブリの斜視図である。
【図１１】図１のストッパの外体の斜視断面図である。
【図１２】図１のストッパの環状シールの斜視断面図である。
【図１３】図１のストッパの弁アセンブリの斜視図である。
【図１４】図１３の弁アセンブリの断面図である。
【図１５】図８の内体のサブアセンブリ、および図１３の弁アセンブリのリンク部材の斜視図である。
【発明を実施するための形態】
【０００６】
［概略］
図１および図２を参照すると、本発明の側面は、瓶（ボトル）、魔法瓶、デカンタ、または類似した貯蔵容器のような、飲料または食品容器１２用のストッパ１０を含む。容器１２は、再利用可能または使い捨て可能とすることができる。同様に、ストッパ１０も、再利用可能または使い捨て可能となるように構成することができる。図の簡略化のため、ストッパ１０は、直立した配向で位置した容器１２に連結されるように示して説明する。しかしながら、当業者は、使用中に、ストッパ１０および容器１２は、あらゆる配向に位置し得るものと理解されよう。したがって、上部、底部、上方、下方等の方向に関する用語は、任意に割り当てられたものであり、本発明を限定することを意図したものではない。
【０００７】
ストッパ１０は、ユーザによって、閉口した形態（図１および図２に示す）と、開口した形態（図３に示す）との間を選択的に移行させることができる。したがって、ストッパ１０は、ユーザによって選択的に開口および開口することができる。容器１２は、液体または半液体内容物を格納するための中空の内側部分１５を有する。容器に格納される液体または半液体内容物の非限定的な例には、飲料、スープ等が挙げられる。ストッパ１０が開口されると、容器１２の内側部分１５にある内容物は、該容器からストッパ１０を通って流れることができる。ストッパ１０が閉口しているときに、容器１２の内側部分１５にある内容物は、ストッパ１０によって該容器内に封止される。
【０００８】
ストッパ１０は、接続部分１７によって、容器１２のリム部分１６に取り付けられるように構成される。図に示された実施形態では、リム部分１６は、その内表面２０に形成されたねじ１８を有する。リム部分１６は、また、ねじ１８の下に位置し、内方へ延在する封止部材２１を含む。ストッパ１０の接続部分１７は、ストッパ１０の外体４０の外面２６の下方部分２４の周囲に配置された、雄ねじ２２を含む。接続部分１７のねじ２２は、それによる取り外し可能な係合のために、リム部分１６のねじ１８に螺合するように構成される。
【０００９】
図２に示されるように、容器１２が、魔法瓶として実現される際、逆さカップ３０、マグ、ボウル等を、ストッパ１０を覆って容器１２のリム部分１６に連結することができる。このようにして、ストッパ１０は、逆さカップ３０の内側に収容され、該カップは、ユーザがストッパ１０を選択的に開口できるようになる前に、最初に取り除かなければならない。逆さカップ３０は、ストッパ１０の上端から離間した内表面３４を備えた底部３２を有する。
【００１０】
ストッパ１０は、外体４０によって少なくとも部分的に画定された内側部分３６を有する。ストッパ１０はまた、外体４０の内側に入れ子にした内体４２と、外体４０と内体４２との間に挟まれ、それらの間に液密シールを形成する環状封止部材４３（例えば、Ｏリング）と、外体４０の内側部分３６の内側に配置される内部構成要素４６を有する弁アセンブリ４４と、軸部分５０および外体４０の外側にある栓部分５４を有する弁部材４８とを含む。軸部分５０は、弁アセンブリ４４の内部構成要素４６に係合する近位端５２と、外体４０の外側にある栓部分５４に連結される遠位端５６とを有する。
【００１１】
ストッパ１０は、内体４０に連結され、外体４０および内体４２の両方を覆う上部カバー６０も含む。ストッパ１０は、弁部材４８の栓部分５４と外体４０との間に配置された環状シール６４も有する。環状シール６４は、ストッパ１０が閉口形態にあるときに（図１および図２に示す）、弁部材４８の栓部分５４と、外体４０との間に液密シールを形成する。ストッパ１０が開口形態にあるときに（図３に示す）、弁部材４８の栓部分５４は、環状シール６４から離間され、容器１２の内容物は、ストッパ１０の内側部分３６内へ流れ込むこと、およびそこから流れ出ることができる。環状シール６４はまた、内方へ延在する封止部材２１を係止してこれによって圧縮してもよい、ストッパ１０と容器１２のリム部分１６との間に液密シールを形成する。
【００１２】
弁アセンブリ４４は、内体４２に旋回可能に取り付けられた細長いレバー部材７４に連結される、外部からアクセス可能な手動の押しボタン７０によって作動する。レバー部材７４は、ストッパ１０が開口され、容器１２の内容物がストッパ１０を通ってそこから出ることができる開口位置（図３に示す）と、ストッパ１０が閉口され、容器１２の内容物がストッパ１０によって容器１２内に保持される閉口位置（図１および図２に示す）との間を旋回する。
【００１３】
図４は、ストッパ１０の構成要素の分解図である。説明の便宜上、弁アセンブリ４４の構成要素を図４から除いてある。弁アセンブリ４４（レバー部材７４とともに示す）の構成要素の分解図を、図１３および１４に示す。図４に示された構成要素のそれぞれは、以下の項で説明する。
【００１４】
［押しボタン］
押しボタン７０は、押下げられた開口位置（図３を参照のこと）、および上昇させた閉口位置（図１および２を参照のこと）の両方の位置をそれぞれ選択的に取ることができる。押しボタン７０は、上部カバー６０に対して、移動方向（図２および図３において両側矢印「Ａ１」で示す）に沿った実質的に直線の移動経路に従って、開口位置と閉口位置との間を移動する。
【００１５】
図５および６を参照すると、押しボタン７０は、ユーザがそれを押してレバー部材７４を旋回させる上部分１００と、上部分１００から下方へ延在する側面部分１０２と、上部分１００に対向する底部分１０４と、底部分１０４に沿って配置された、隔設されて下方に延在する一対の接続部分１０６Ａおよび１０６Ｂとを有する。
【００１６】
図示の実施形態では、側面部分１０２は、単一の連続側壁１０８として実現されている。しかしながら、これは要件ではなく、側面部分１０２が２つ以上の接続された、または分離された側壁（図示せず）を含む実施形態も、本教示の範囲内である。
【００１７】
接続部分１０６Ａおよび１０６Ｂは、押しボタン７０をレバー部材７４に連結する。接続部分１０６Ａはスロット１１２Ａを含み、接続部分１０６Ｂはスロット１１２Ｂを含む。スロット１１２Ａおよび１１２Ｂは、互いに隔設および並置される。スロット１１２Ａおよび１１２Ｂは、ユーザが押しボタンを押下げてストッパ１０を開口したときに、上部カバー６０に対して、押しボタン７０の移動方向（図２および図３において両側矢印「Ａ１」で示す）と実質的に直行する方向にそれぞれ延在する。
【００１８】
任意選択で、押しボタン７０は、１つ以上の内部支持部材を含む。図示の実施形態では、押しボタン７０は、上部分１００の下に、および連続側壁１０８の対向部分間に延在する横断支持部材１１８を含む。
【００１９】
［レバー部材］
レバー部材７４は、押しボタン７０によって、開口位置（図３を参照のこと）、および閉口位置（図１および２を参照のこと）の両方の位置をそれぞれ選択的に取ることができる。レバー部材７４は、外側部分１３０と、内側部分１３２とを有する。レバー部材７４は、外側部分１３０と内側部分１３２との間に画定される内側の角度が「Ａ２」の折曲形状を有する。角度「Ａ２」は、外側部分１３０と内側部分１３２との交点に頂部「Ｂ」を有する。
【００２０】
ストッパ１０の内側に組み立てたられたときに、外側部分１３０はストッパ１０の外側からアクセス可能であり、内側部分１３２はストッパの内側に配置される。外側部分１３０は、案内従動部分１４０を備えた下面１３８を有するテーパ付フラップ部分１３６と、内側部分１３２に隣接する近位部分１４２と、該近位部分に対向する遠位部分１４４とを含む。フラップ部分１３６は、その最も厚い部分が近位部分１４２に沿うように、また、その最も薄い部分が遠位部分１４４に沿うようにテーパさせることができる。
【００２１】
図２を参照すると、案内従動部分１４０は、フラップ部分１３６の下面１３８からストッパ１０の内体４２の方へ下方へ延在し、レバー部材７４が閉口位置にあるときには露出しない。しかしながら、図３に見て取れるように、案内従動部分１４０は、レバー部材７４が開口位置にあるときには、ユーザが少なくとも部分的に見ることができる。案内従動部分１４０は、レバー部材７４が、開口位置と閉口位置との間を移行したときに、上部カバー６０に対するレバー部材７４の配向を補助することができ、また、内体４２に対するレバー部材７４の案内を補助することができる。図５および６に示された実施形態では、案内従動部分１４０は、その長さおよび高さの両方に沿って湾曲した連続壁として実現される。さらに、案内従動部分１４０は、角度「Ａ２」の頂部「Ｂ」に隣接して位置する。
【００２２】
内側部分１３２は、外側部分１３０に連結される湾曲近位縁部分１５６の側面に位置する湾曲中間部分１５０を有する支持プラットホーム１４８と、近位縁部分１５６に対向し、曲線的なカム従動部分１６０によって終端する自由遠位縁部分１５８とを含む。内側部分１３２は、湾曲近位縁部分１５６と湾曲中間部分１５０との間で、支持プラットホーム１４８に連結される横旋回ピン１６２も含む。横旋回ピン１６２は、第２の端部１６４Ｂに対向する第１の端部１６４Ａを有する。横旋回ピン１６２は、角度「Ａ２」の頂部「Ｂ」から、自由遠位縁部分１５８の方へ離間される。横旋回ピン１６２は、第１の端部１６４Ａと第２の端部１６４Ｂとの間に位置する中間部分１６６を含む。任意選択で、中間部分１６６は、第１の端部１６４Ａと第２の端部１６４Ｂよりも大きな径を有することができる。任意選択で、内側部分１３２は、湾曲中間部分１５０に連結され、横旋回ピン１６２に横方向の支持を提供するように位置する、支持部材１６８を含む。
【００２３】
内側部分１３２は、支持プラットホーム１４８の自由遠位縁部分１５８に連結される接続部分１７０も含む。接続部分１７０は、支持部材１７６によって支持プラットホーム１４８に連結される細長い横旋回ピン１７４を含む。図示の実施形態では、横旋回ピン１７４の長さは、横旋回ピン１６２よりも短い。ストッパ１０を組み立てたときに、レバー部材７４の接続部分１７０は、押しボタン７０の接続部分１０６Ａおよび１０６Ｂに移動可能に連結される。横旋回ピン１７４は、接続部分１０６Ａのスロット１１２Ａの内側に受け入れられるように構成される第１の端部分１７８Ａと、接続部分１０６Ｂのスロット１１２Ｂの内側に受け入れられるように構成される第２の端部分１７８Ｂとを有する。横旋回ピン１７４は、第１の端部分１７８Ａと第２の端部分１７８Ｂとの間に、中間部分１８０を含む。中間部分１８０は、スロット１１２Ａおよび１１２Ｂの内側に受け入れられるには大きすぎるように構成され、押しボタン７０に対する、レバー部材７４の横方向移動を制限することができる。したがって、ストッパ１０を組み立てたときに、横旋回ピン１７４の中間部分１８０は、押しボタン７０の接続部分１０６Ａおよび１０６Ｂの側面に位置する。
【００２４】
横旋回ピン１７４は、レバー部材７４が開口位置と閉口位置との間を移動するときに、隔設したスロット１１２Ａおよび１１２Ｂ内で旋回して、長手方向に摺動する。支持部材１７６は、横旋回ピン１７４を支持プラットホーム１４８から適切に離間して、押しボタン７０の側壁１０８とレバー部材７４の支持プラットホーム１４８との間に不要な係合を生じることなく、横旋回ピン１７４が、隔設したスロット１１２Ａおよび１１２Ｂ内で旋回できるように構成される。
【００２５】
押しボタン７０が押下げられたときに、レバー部材７４は、横旋回ピン１６２上を旋回して、弁アセンブリ４４のカム表面２００（図２および３に示し、以下に説明する）に対して、レバー部材７４のカム従動子部分１６０を押圧し、それによって、弁アセンブリ４４を作動させて開口させる。同時に、フラップ部分１３６が上部カバー６０から離れるように上方へ回転して、ストッパ１０を開口する。弁アセンブリ４４が開口して、フラップ部分１３６が上部カバー６０から離れるように上方へ回転したときに、容器１２の内容物は、ストッパ１０を通って流れることができる。
【００２６】
［上部カバー］
上部カバー６０は、略円板形であり、略円形の周辺部分「Ｐ１」を有する下方へ湾曲した上方表面２０２と、上方表面２０２の周囲および周辺部分「Ｐ１」に沿って延在する、下方へ延在する側壁２０４とを有する。第１の開口２１０が、上方表面２０２内に形成され、レバー部材７４が開口位置にある（図３を参照のこと）ときに、容器１２の内容物は、該開口を通って流れることができる。第１の開口２１０から離間された第２の開口２１４が、上方表面２０２内に形成される。第２の開口２１４は、押しボタン７０を受容して、ユーザが、レバー部材７４を開口位置に旋回させるために該ボタンを押下げることができるように構成される。
【００２７】
第１の開口２１０および第２の開口２１４は、周辺部分「Ｐ２」および「Ｐ３」それぞれを有する。第１の開口２１０の周辺部分「Ｐ２」は、上方表面２０２の周辺部分「Ｐ１」に隣接した、切欠部分２１８を有する。図示の実施形態では、第２の開口２１４の周辺部分「Ｐ２」は、実質的に直線部分２２２に対向する湾曲部分２２０を有する。
【００２８】
図７を参照すると、内方へ延在する一対の案内壁２２４Ａおよび２２４Ｂが、第１の開口２１０の周辺部分「Ｐ２」に沿って互いに対向して位置する。案内壁２２４Ａは、その遠位縁部２２６Ａに沿って形成された切り欠き２２５Ａを有し、案内壁２２４Ｂは、第１の開口２１０を挟んで切り欠き２２５Ａと並置され、その遠位縁部２２６Ｂに沿って形成された切り欠き２２５Ｂを有する。切り欠き２２５Ａおよび２２５Ｂは、ストッパ１０を組み立てたときに、レバー部材７４の横旋回ピン１６２の、第１の端部分１６４Ａおよび第２の端部分１６４Ｂそれぞれの一部を受け入れるように配置される。このように、切り欠き２２５Ａおよび２２５Ｂは、上部カバー６０および内体４２に対するレバー部材７４の適切な位置決めの維持を補助する（図４を参照のこと）。
【００２９】
上部カバー６０は、内方へ延在する第１の案内壁部分２２７および第２の案内壁部分２２８も有し、それぞれ、第２の開口２１４の周辺部分「Ｐ３」の少なくとも一部に隣接する。図示の実施形態では、第１の案内壁部分２２７は、第２の開口２１４の周辺部分「Ｐ３」の湾曲部分２２０の周囲で湾曲し、第２の案内壁部分２２８は、第２の開口２１４の周辺部分「Ｐ３」の実質的な直線部分２２２（図５および６を参照のこと）に沿って実質的に直線状に延在する。
【００３０】
図２を参照すると、押しボタン７０を第２の開口２１４の内側で受容したときに、押しボタン７０の側面部分１０２は、第１および第２の案内壁部分２２７および２２８に隣接する。第１の案内壁部分２２７および第２の案内壁部分２２８は、押しボタン７０が開口位置と閉口位置との間を移行するときに、押しボタン７０の案内を補助し、上部カバー６０およびストッパ１０の内部構造に対し、横方向に押しボタンの横方向移動を制限する。第１の案内壁部分２２７は、棚部分２３０で終端する。図３を参照すると、押しボタン７０が開口位置にあるときに、押しボタン７０の底部分１０４に隣接する側壁１０８の一部は、棚部分２３０上に載置され、押しボタン７０の内方への進行経路を制限する。
【００３１】
図５および６に戻ると、第２の案内壁部分２２８は、その下縁２３４沿いに中央切り欠き２３２を含む。中央切り欠き２３２は、レバー部材７４が開口位置に、または開口位置から旋回したときに、レバー部材７４の接続部分１７０の支持部材１６８が中央切り欠き２３２を出入りすることができ、第２の案内壁部分２２８とレバー部材７４の間の干渉を防ぐように構成される。
【００３２】
レバー部材７４が閉口位置（図１および２を参照のこと）にあるときに、レバー部材７４のフラップ部分１３６は、上部カバー６０の第１の開口２１０の内側で受け入れられ、第１の開口２１０を閉口するが、このとき、フラップ部分１３６の遠位部分１４４は、第１の開口２１０の周辺部分「Ｐ２」の切欠部分２１８に隣接して位置する。レバー部材７４の内側部分１３２は、第１の開口２１０から離れるように内体４２の方へ向かって延在し、それとともに、横旋回ピン１６２は、ストッパ１０の内側の内体４２上に載置され、該内体によって支持される（図２を参照のこと）。
【００３３】
図１および２を参照すると、レバー部材７４が閉口位置にあるときに、押しボタン７０の上面１００および側面部分１０２の露出部分２４０は、上部カバー６０の上方表面２０２から第２の開口２１４を通って上方へ延在する。第２の開口２１４の下では、押しボタン７０の接続部分１０６Ａおよび１０６Ｂが、レバー部材７４の接続部分１７０に連結される。
【００３４】
図３を参照すると、レバー部材７４が開口位置にあるときに、レバー部材７４のフラップ部分１３６は、第１の開口２１０の切欠部分２１８から上方へ離間され、押しボタン７０の上面１００は、上部カバー６０の上方表面２０２の下へ凹む。したがって、押しボタン７０の側面部分１０２の前に露出されていた部分２４０（図１および２を参照のこと）は、上部カバー６０の下に隠れる。
【００３５】
レバー部材７４および押しボタン７０は、レバー部材７４を上部カバー６０の方へ押圧することによって、開口位置から閉口位置に移行される。レバー部材７４は、ユーザによって、または逆さカップ３０がストッパ１０を覆って容器１２のリム部分１６に取り付けられているときに該逆さカップによって（図２を参照のこと）、閉口位置に押圧することができる。特に、レバー部材７４が開口位置にある場合、逆さカップ３０をストッパ１０を覆って容器１２のリム部分１６に取り付けたときに、逆さカップ３０の底部分３２の内表面３４がフラップ部分１３６の遠位部分１４４に対して当接し、これを上部カバー６０の方へ押圧して、閉口位置へ移行させる。
【００３６】
図７を参照すると、上部カバー６０の周辺部分「Ｐ１」に沿って下方へ延在する側壁２０４は、上方表面２０２の下にチャネル２４６を画定する、内方へ延在する突起２４４を有する。突起２４４およびチャネル２４６は、内体４２に上部カバー６０を着脱可能に連結するように構成される（図２〜４を参照のこと）。図示の実施形態では、半径方向に延在する案内部材２４８が、第１の案内壁部分２２７と、下方へ延在する側壁２０４との間に延在する。
【００３７】
［内体］
図８および９を参照すると、内体４２は内側部分２５６を有し、該部分は、弁アセンブリ４４の種々の構成要素（図１３および１４を参照のこと）を収容し、ストッパ１０（図１〜３を参照のこと）が開口形態にあるとき（図３に示す）に、容器１２（図１および２を参照のこと）の内容物が該部分を通って流れる。内側部分２５６は、４つのセグメント、すなわち、上部セグメント２６０−１、第１の中間セグメント２６０−２、第２の中間セグメント２６０−３、および底部セグメント２６０−４を有する外壁２５８によって画定される。４つのセグメントである２６０−１、２６０−２、２６０−３、および２６０−４は、それぞれ、セクション２６０−１からセクション２６０−４へと減少する直径を有する略円形の断面形状を有する。
【００３８】
上部セグメント２６０−１は、外方へ延在する注ぎ口２６４を有する上方部分２６２を含む。ストッパ１０を組み立てたときに、上部カバー６０（図５および６を参照のこと）の側壁２０４（図５および６を参照のこと）は、内体４２の上部セグメント２６０−１の上方部分２６２に連結され、それとともに、切欠部分２１８（図２および３を参照のこと）は、注ぎ口２６４に隣接して位置する。図２および３に見られるように、注ぎ口２６４は、上部カバー６０が内体４２に連結されるときに、第１の開口２１０を通って上方および外方へ延在する。
【００３９】
上部セグメント２６０−１の上方部分２６２は、それぞれが外方および半径方向に延在する突起２６８を有する、上方へ延在する隔設した複数のフィンガ２６６を有する。隙間２７０は、隣接するフィンガ２６６間に画定される。フィンガ２６６は、内方へ撓曲して、半径方向に延在する突起２６８が、上部カバー６０の内方へ延在する突起２４４（図６を参照のこと）を通り越せるようにする。内方へ延在する突起２４４を通り越した後に、フィンガ２６６は、突起２６８を、突起２４４の上のチャネル２４６（図６を参照のこと）内へ外方へ半径方向に付勢する。したがって、内方へ延在する突起２４４は、外方へ延在する突起２６８が、チャネル２４６から外れないようにする障壁を提供し、それによって上部カバー６０の内体４２との係合を維持する。このように、フィンガ２６６の外方へ延在する突起２６８を、突起２４４の上のチャネル２４６内に嵌め込んで、上部カバー６０を内体４２の上部セグメント２６０−１に確実に取り付ける。
【００４０】
図１０は、内体４２に連結される上部カバー６０を含むストッパ１０（図１〜３を参照のこと）のサブアセンブリを示す図である。図１０に示されるように、フィンガ２６６の外方へ半径方向に延在する突起２６８は、内体４２の外壁２５８から十分離れて延在して、上部カバー６０の突起２４４および側壁２０４を内体４２の外壁２５８から離間し、それによって、空気が、隙間２７０を通って内側部分２５６（図８および９を参照のこと）内に流れ込むことができるようにする。さらに、隙間２７０は、任意選択で、上部カバー６０が内体４２に連結されたときに、内体４２の外壁２５８に沿って内方へ延在する突起２４４の下の位置まで延在させて、空気が隙間２７０内に流れ込むようにすることができる。
【００４１】
図２および３を参照すると、内体４２を外体４０の内側に入れ子にしたときに、隙間２７０（図８および９を参照のこと）は、外体４０によって少なくとも部分的に画定された内側部分３６（図２および３を参照のこと）と開口連通する。図示の実施形態では、隙間２７０（図８および９を参照のこと）は、環状封止部材４３（図２および３を参照のこと）の上に位置する内側部分３６の部分２７１と開口連通する。空気は、上部カバー６０と外体４０との間を、ストッパ１０の外側の環境から、ストッパ１０の内側部分３６の部分２７１内に流れ込むことができる。
【００４２】
図８および９に戻ると、上部カバー６０（図６を参照のこと）の内体４２との適切な位置合わせを維持するために、隙間２７０のうちの１つである、隙間２７０Ａは、上部カバー６０の半径方向に延在する案内部材２４８（図７を参照のこと）を受容して、内体４２に対するその円周方向の運動を制限するように構成される。
【００４３】
内側部分２５６の内側において、第１の肩部２７４−１は、上部セグメント２６０−１と第１の中間セグメント２６０−２との交差点に提供され、第２の肩部２７４−２は、第１の中間セグメント２６０−２と第２の中間セグメント２６０−３との交点に提供され、第３の肩部２７４−３は、第２の中間セグメント２６０−３と底部セグメント２６０−４との交点に提供される。
【００４４】
内側部分２５６の内側において、内体４２は、上部セグメント２６０−１の注ぎ口２６４の側面に位置する隔設した一対の直立支持壁２７８Ａおよび２７８Ｂと、直立支持壁２７８Ａと２７８Ｂとの間に延在する直立横分割壁２８０とを含む。直立支持壁２７８Ａおよび２７８Ｂ、および直立横分割壁２８０は、第３の肩部２７４−３から上方へ延在し、上部セグメント２６０−１にて終端する。
【００４５】
直立支持壁２７８Ａおよび２７８Ｂは、それぞれレバー支持セクション２８２Ａおよび２８２Ｂと、それぞれ空気流セクション２８４Ａおよび２８４Ｂとを含む。レバー支持セクション２８２Ａおよび２８２Ｂは、それぞれフラップ支持部分２８６Ａおよび２８６Ｂと、それぞれ旋回ピン支持部分２８８Ａおよび２８８Ｂとを有する。フラップ支持部分２８６Ａおよび２８６Ｂは、分割壁２８０によって、旋回ピン支持部分２８８Ａおよび２８８Ｂから分離される。フラップ支持部分２８６Ａおよび２８６Ｂは、注ぎ口２６４の対向側に沿って延在し、分割壁２８０で終端する。図２および４を参照すると、ストッパ１０を組み立てて、レバー部材７４が閉口位置にあるときに、レバー部材７４のフラップ部分１３６の下面１３８は、レバー支持セクション２８２Ａおよび２８２Ｂのフラップ支持部分２８６Ａおよび２８６Ｂ上に載置される。フラップ支持部分２８６Ａおよび２８６Ｂは、注ぎ口２６４に隣接する、より厚い部分２９０Ａおよび２９０Ｂをそれぞれ有する、分割壁２８６から注ぎ口２６４に向けてテーパ付けられてもよい。
【００４６】
当業者には明らかなように、フラップ部分１３６の下面１３８は、フラップ支持部分２８６Ａおよび２８６Ｂとの液密シールを形成することができる。しかしながら、これは必須ではない。容器１２の内容物（図１〜３を参照のこと）がストッパ１０を通って流れるかどうかは、弁部材４８の栓部分５４が環状シール６４に対して押圧されるか、または該封止から離間されるかによって決まる。したがって、フラップ部分１３６は、容器１２の内容物を該容器内に保持する役割を果たさなくてもよい。故に、フラップ部分１３６の下面１３８と、フラップ支持部分２８６Ａおよび２８６Ｂとの間に液密シールを形成する必要はない。代わりに、フラップ部分１３６は、汚染物質が、上部カバー６０の第１の開口２１０を通ってストッパ１０の内側部分３６に入らない助けとなってもよい。
【００４７】
図８および９に戻ると、直立支持壁２７８Ａの旋回ピン支持部分２８８Ａは、分割壁２８０から離間され、内体４２の内側部分２５６の中央近くに位置する切り欠き２９２Ａを有する。同様に、直立支持壁２７８Ｂのレバー支持セクション２８２Ｂの旋回ピン支持部分２８８Ｂは、分割壁２８０から離間され、内体４２の内側部分２５６の中央近くに位置する切り欠き２９２Ｂを有する。図４を参照すると、切り欠き２９２Ａおよび２９２Ｂは、レバー部材７４の横旋回ピン１６２の第１の端部分１６４Ａおよび第２の端部分１６４Ｂをそれぞれ受容するように構成される。ストッパ１０を組み立てたときに、横旋回ピン１６２の第１の端部分１６４Ａおよび第２の端部分１６４Ｂは、切り欠き２９２Ａおよび２９２Ｂそれぞれの内側に存在し、内体４２に対して該切り欠き内を旋回する。
【００４８】
図８および９に戻ると、図示の実施形態では、レバー支持セクション２８２Ａおよび２８２Ｂは、空気流セクション２８４Ａおよび２８４Ｂよりもさらに上方に、上部セグメント２６０−１内へ延在する。したがって、空気流間隙２９６Ａおよび２９６Ｂは、上部カバー６０（図４を参照のこと）と、空気流セクション２８４Ａおよび２８４Ｂとの間にそれぞれ画定される。さらに、空気流セクション２８４Ａおよび２８４Ｂは、第１の肩部２７４−１の上の上部セグメント２６０−１内の外壁２５８と接触しなくてもよく、それによって、空気流セクション２８４Ａと第１の肩部２７４−１の上の外壁２５８との間に第１の間隙２９８Ａを画定し、また、空気流セクション２８４Ｂと第１の肩部２７４−１の上の外壁２５８との間に第２の間隙２９８Ｂを画定してもよい。
【００４９】
直立支持壁２７８Ａおよび２７８Ｂは、内側部分２５６を３つの領域「Ｒ１」、「Ｒ２」、および「Ｒ３」に分割する。第１および第２の中間セグメント２６０−２および２６０−３内において、３つの領域「Ｒ１」、「Ｒ２」、および「Ｒ３」は、直立支持壁２７８Ａおよび２７８Ｂによって互いに分離される。しかしながら、上部セグメント２６０−１内において、３つの領域「Ｒ１」、「Ｒ２」、および「Ｒ３」は、上部カバー６０（図４を参照のこと）と、レバー支持セクション２８２Ａおよび２８２Ｂとの間に画定された空気流間隙２９６Ａおよび２９６Ｂを経て、および空気流セクション２８４Ａおよび２８４Ｂと、外壁２５８との間の間隙２９８Ａおよび２９８Ｂ（図１５を参照のこと）を経て、互いに連通する。領域「Ｒ１」および「Ｒ３」は、「Ｒ２」の側面に位置し、本質的に、ストッパ１０（図１〜３を参照のこと）の外側の環境から、隙間２７０を経て受容した空気を格納するための空隙である。
【００５０】
分割壁２８０は、内体４２の内側部分２５６の領域「Ｒ２」を、流体流路３００および弁筺体部分３０６へ分岐させる。第１の開口３１０は、内体４２の内側部分２５６の領域「Ｒ２」の流体流路３００の部分内の、第２の肩部２７４−２内に形成される。図示の実施形態では、第１の開口３１０は、第２の中間セグメント２６０−３および第３の肩部２７４−３内へ延在する。直立支持壁２７８Ａおよび２７８Ｂそれぞれのレバー支持セクション２８２Ａおよび２８２Ｂそれぞれのフラップ支持部分２８６Ａおよび２８６Ｂは、領域「Ｒ２」の流体流路３００に隣接する。
【００５１】
直立支持壁２７８Ａおよび２７８Ｂそれぞれのレバー支持セクション２８２Ａおよび２８２Ｂそれぞれの旋回ピン支持部分２８８Ａおよび２８８Ｂは、領域「Ｒ２」の弁筺体部分３０６に隣接する。直立支持壁２７８Ａおよび２７８Ｂそれぞれの空気流セクション２８４Ａおよび２８４Ｂは、領域「Ｒ２」の弁筺体部分３０６に隣接する。したがって、空気は、上部カバー６０（図４を参照のこと）と、空気流セクション２８４Ａおよび２８４Ｂそれぞれとの間に画定された空気流間隙２９６Ａおよび２９６Ｂを通って、および空気流セクション２８４Ａおよび２８４Ｂと、外壁２５８との間の間隙２９８Ａおよび２９８Ｂ（図１５を参照のこと）を通って、弁筺体部分３０６内に流れ込むことができる。
【００５２】
第２の開口３１２は、内体４２の内側部分２５６の領域「Ｒ２」の弁筺体部分３０６内の、第２の肩部２７４−２内に形成される。第２の開口３１２によって、空気は、内体４２の内側部分２５６の領域「Ｒ２」の内側から、外体４０内に流れ込むことができる。弁アセンブリ４４が開口しているときに、外体４０内の空気は、外体４０から容器１２内に流れ込むことができる。ストッパ１０（図１〜３を参照のこと）を通る容器１２（図１および２を参照のこと）内への空気の流れによって、ストッパが開口されたときに、容器１２の内容物は、領域「Ｒ２」の流体流路３００を通って、より容易に流れることができる。
【００５３】
図２に戻ると、ストッパ１０を組み立てて、レバー部材７４が閉口位置にあるときに、レバー部材７４の案内従動部分１４０は、直立支持壁２７８Ａ及び２７８Ｂ（図８および９を参照のこと）の間の横分割壁２８０に隣接して位置し、領域「Ｒ２」の弁筺体部分３０６（図８および９を参照のこと）内へ延在する。さらに、レバー部材７４の内側部分１３２の支持プラットホーム１４８は、レバー部材７４が開口位置および閉口位置のどちらにあるときでも、領域「Ｒ２」の弁筺体部分３０６（図８および９を参照のこと）内へ延在する。
【００５４】
案内従動部分１４０は、横分割壁２８０および直立支持壁２７８Ａおよび２７８Ｂ（図８および９を参照のこと）から離間され、一般的に、開口位置および閉口位置との間を移行するときには、これらの構造体と接触しない。しかしながら、横方向に向かう十分な力がレバー部材７４に加えられた場合、レバー部材７４の案内従動部分１４０の横方向および半径方向の運動は、横分割壁２８０および直立支持壁２７８Ａおよび２７８Ｂ（図８および９を参照のこと）によって抑えることができる。
【００５５】
内体４２の内側部分２５６の領域「Ｒ２」の弁筺体部分３０６の部分は、弁アセンブリ４４の構成要素の少なくとも一部のための、中央に位置する弁筐体３２０を含む。図示の実施形態では、弁筺体３２０は、長手方向に延在する案内溝３２８がその中に形成された略円筒状の側壁３２４を含む。
【００５６】
外壁２５８の底部セグメント２６０−４は、内体４２を外体４０（図２および３を参照のこと）に着脱可能に連結するように構成される接続部分３３０を含む。図示の実施形態では、接続部分３３０は、雄ねじ３３２を有する。
【００５７】
外壁２５８の第１の中間セグメント２６０−２は、内体４２の外壁２５８に対して環状封止部材４３（例えば、Ｏリング）を保持するように構成される、外方および半径方向に延在する環状突起３３８を含む。
【００５８】
［外体］
図１１に示すように、外体４０は、上部セグメント３６０−１、中間セグメント３６０−２、および底部セグメント３６０−３の、３セグメントを有する外壁３５４の内表面３５２によって画定された、内側部分３５０を有する。３つのセグメント３６０−１、３６０−２、および３６０−３は、それぞれ、セクション３６０−１からセクション３６０−３へと減少する直径を有する略円形の断面形状を有する。外壁３５４は、内表面３５２に対向する外表面３６１を有する。
【００５９】
ストッパ１０の接続部分１７（図１〜３を参照のこと）は、外壁３５４の中間セグメント３６０−２の外表面３６１に沿って形成される。図１１に示すように、雄ねじ２２は、外壁３５４の中間セグメント３６０−２の周囲に延在する。
【００６０】
内側部分３５０の内側において、第１の肩部３６２−１が、上部セグメント３６０−１と中間セグメント３６０−２との交差部分に提供され、第２の肩部３６２−２が、中間セグメント３６０−２と底部セグメント３６０−３との交差部分に提供される。任意選択で、第１の肩部３６２−１は、内体４２の半径方向に延在する環状突起３３８（図８および９を参照のこと）の上の第１の中間セグメント２６０−２（図８および９を参照のこと）の外壁２５８（図８および９を参照のこと）に配置された、環状封止部材４３（図２〜４を参照のこと）の一部を受容するように構成される。図２および３に示すように、内体４２を外体４０の内側に入れ子にしたときに、環状封止部材４３（任意選択で、第１の肩部３６２−１内に形成された環状溝３６５の内側で受容する）は、内体４２と外体４０との間に液密封止を形成する。
【００６１】
図１１に戻ると、外体４０の内側部分３５０の内側に形成された第２の肩部３６２−２に対向して、シール係合表面３６４が、中間セグメント３６０−２と底部セグメント３６０−３との交差部分において、外壁３５４の外表面３６１内に形成される。シール係合表面３６４は、ストッパ１０を組み立てたときに、環状シール６４（図２および３を参照のこと）の上面に当接するように構成される。
【００６２】
外体４０は、外体４０の内側部分３５０内のほぼ中央に位置する内部接続部分３６８を有する。内部接続部分３６８は、底部セグメント３６０−３から上方へ、中間セグメント３６０−２の少なくとも一部内へ延在する。少なくとも１つの半径方向に延在する接続部材３７０は、内部接続部分３６８を、底部セグメント３６０−３内の外壁３５４の内表面３５２に連結する。少なくとも１つの開口部３７２が、接続部材３７０内に形成される（または、代替的に、隣接する接続部材間に位置する）。内部接続部分３６８は、内体４２の外壁２５８の底部セグメント２６０−４の接続部分３３０（図８および９を参照のこと）に、着脱可能に連結されるように構成される。
【００６３】
図示の実施形態では、外体４０の内部接続部分３６８は、連続側壁３７８の開口上端部分３７６を有する、略円筒形である。内部接続部分３６８は、実質的に中央に位置する貫通孔３８２がその中に形成された、部分的に閉じた底端部分３８０を有することができる。側壁３７８は、雌ねじ３８６がその上に配置された内表面３８４を有し、内体４２の接続部分３３０の雄ねじ３３２（図８および９を参照のこと）に係合してねじで嵌合するように構成される。
【００６４】
外壁３５４の底部セグメント３６０−３は、環状封止６４（図８および９を参照のこと）の凹部内へ延在して、環状封止６４を、外体４０の外壁３５４の底部セグメント３６０−３上に保持するように構成される、外方且つ半径方向に突出した下方部分３９０を含む。突出した下方部分３９０の上において、チャネル３９２が、突出した下方部分３９０と、中間セグメント３６０−２に隣接するシール係合表面３６４との間に画定される。底部セグメント３６０−３の内表面３５２は、下方凹部３９８を含む。
【００６５】
［環状封止］
図１１および１２を参照すると、環状シール６４は、外体４０の外壁３５４の底部セグメント３６０−３に連結されるように、また、ストッパ１０が閉口形態にあるとき（図１および２に示す）に、外体４０と弁部材４８の栓部分５４（図２を参照のこと）との間に液密封止が形成されるように構成される。環状封止６４は、ゴム、ゴム、弾性プラスチック、エラストマ、当技術分野において既知の他の好適な材料、それらの組み合わせ等で構成された、環状体部分４００を有する。環状体部分４００は、略円形の中央開口部４０２を画定する。環状体部分４００は、ストッパ１０（図１〜３を参照のこと）を組み立てたときに、外体４０の封止係合表面３６４（図１１を参照のこと）に係合して、該表面と液密シールを形成するように構成される、上方表面４０４を有する。
【００６６】
その上方表面４０４の下において、環状体部分４００は、外体４０の突出した下方部分３９０（図１１を参照のこと）と、封止係合表面３６４（図１１を参照のこと）との間に画定された、チャネル３９２（図１１を参照のこと）の内側で受容するように構成される、内方且つ半径方向に延在する突起４０８を有する。突起４０８の下において、環状シール６４は、外体４０の突出した下方部分３９０（図１１を参照のこと）を受容するように構成される、開いた略Ｕ字形のチャネル４１０を有する。チャネル４１０は、突起４０８と、下方へ延在する側壁４１４と、下方表面４１８を有する内方へ延在する下方封止部分４１６とによって画定される。
【００６７】
下方表面４１８は、ストッパ１０が閉口形態（図１および２に示す）にあるときに、弁部材４８の栓部分５４（図２を参照のこと）と係合して、これと液体シールを形成する。下方へ延在する封止突起４２０が、下方封止部分４１６の下方表面４１８に沿って形成される。図示の実施形態では、封止突起４２０は、環状であり、環状体部分４００と同心円状であり、また、封止部分４１６の外表面４１８の周囲に連続的に延在する。封止突起４２０は、ストッパ１０が閉口形態にあるとき（図１および２に示す）に、弁部材４８の栓部分５４（図２を参照のこと）に当接し、また該栓部分によって圧縮され、環状シール６４と栓部分５４（図２を参照のこと）との間に液密シールを提供することができる。
【００６８】
内方へ延在する下方封止部分４１６は、外体４０の外壁３５４の底部セグメント３６０−３の下方凹部３９８（図１１を参照のこと）の内側で受容するように構成される、上方へ延在する把持突起４２４によって終端する。したがって、環状体部分４００は、底部セグメント３６０−３（図１１を参照のこと）の外表面３６１、および外体４０の外壁３５４の内表面３５２の一部に巻きついて、これを包んで、環状封止６４を外体４０上に確実に保持する。
【００６９】
図１および２を参照すると、環状体部分４００は、容器１２のリム部分１６のねじ１８の下に位置する内方へ延在する封止部材２１に係合するように構成される、外側封止部分４３０を有する。図１２に示された実施形態では、外側封止部分４３０は、下方に延在する側壁４１４から離間され、これに沿って延在し、チャネル４３２をその間に画定する。外側封止部分４３０は、内方へ延在する部分４３４によって、内方且つ半径方向に延在する突起４０８に隣接した、下方に延在する側壁４１４に連結される。チャネル４３２は、内方へ延在する部分４３４に対向するその底部分４３６に沿って開口する。内向きの力が、容器１２の内方へ延在する封止部材２１（図１および２を参照のこと）によって、外側封止部分４３０に付与されるが、該部分との液密シールを保持するのに十分な弾性があるときに、外側封止部分４３０は、チャネル４３２内へ撓む。
【００７０】
［弁アセンブリ］
弁アセンブリ４４およびレバー部材７４の構成要素の例示的な実現形態を図１３および１４に示す。弁アセンブリ４４は、弁部材４８と、カム表面２００がその上に形成されたリンク部材５１０と、ワッシャまたはキャップ５１４と、付勢部材５１６（例えば、コイルスプリング）と、カラー５１８とを含む。図示の実現形態では、弁アセンブリ４４は、カム（すなわち、レバー部材７４のカム従動子部分１６０）の動作によって開口され、付勢部材５１６の動作によって閉口される、ポペット型弁である。
【００７１】
上述のように、弁部材４８は、軸部分５０と栓部分５４とを含み、軸部分５０は、栓部分５４と実質的に直交して中央に位置する。栓部分５４に対向し、その近位端５２上において、軸部分５０は、該軸部分の近位端５２の周囲に延在する環状円周溝５２８の上方に配置された円錐形のキー部材５２４を有する、接続部分５２０を含む。
【００７２】
カラー５１８は、接続部分５２０と、栓部分５４に連結される遠位端５６との間の、弁部材４８の軸部分５０の周囲に配置されるように構成される。外体４０の内部接続部分３６８の部分的に閉じた底端部分３８０内に形成される、実質的に中央に位置する貫通孔３８２（図１１を参照のこと）は、弁部材４８の軸部分５０を受容して、該軸部分が該貫通孔を通って移動できるように構成される。しかしながら、貫通孔３８２（図１１を参照のこと）は、カラー５１８が通り抜けることができない大きさである。
【００７３】
図示の実施形態では、カラー５１８は、上方部分５３６が下方部分５３７に対向する側壁５３５を有する、直立した開放中空円筒セクション５３４と、中空の円筒セクション５３４の下方部分５３７に連結される基礎部分５３８とを有する。基礎部分５３８は、底部内表面５４０と、中空の円筒セクション５３４の側壁５３５から離間され、中空の円筒セクション５３４の側壁５３５の下方部分５３７に沿って底部内表面５４０から上方へ延在する、上方へ延在する側壁５４４とを有する。
【００７４】
図示の実施形態では、付勢部材５１６は、下端部分５５６に対向する上端部分５５４を有するコイルスプリング５５０として実現される。付勢部材５１６は、中空の円筒セクション５３４の周囲に配置され、その下端部分５５６が基礎部分５３８の底部内表面５４０上に載置されるように構成される。基礎部分５３８の側壁５４４は、付勢部材５１６の下端部分５５６の弁部材４８に対する適切な位置合わせを保持し、下端部分５５６が、外体４０の内部接続部分３６８の、部分的に閉じた底端部分３８０内に形成された貫通孔３８２（図１１を参照のこと）内に入り込まないようにする。付勢部材５１６は、環状溝５２８（図２および３に示す）の下の弁部材４８の軸部分５０の一部に沿って延在するように、カラー５１８を越えて延在させることができる。
【００７５】
キャップ５１４は、下面５６４に対向する上面５６３を有する上方プラットホーム５６２と、プラットホーム５６２から、これに沿って下方に円周方向に延在する側壁５６６とを有する、略円板形とすることができる。上方プラットホーム５６２は、弁部材４８の軸部分５０の円錐形キー部材５２４を受容して保持するように構成されるキー溝部分５７０を備えた、接続部分５６８を有する。１つ以上のスロット２７２は、キー溝部分５７０と交差し、そこから延在して、上方プラットホーム５６２を屈曲させて、キー溝部分５７０が弁部材４８の円錐形キー部材５２４を受容するようにさせることができる。キー部材５２４がキー溝部分５７０を通過した後に、キー溝部分５７０に沿った上方プラットホーム５６２の部分５８０は、キー部材５２４の下の環状溝５２８の内側に受容され、キャップ５１４を弁部材４８の軸部分５０上に保持する。したがって、キー部材５２４およびキー溝部分５７０は、互いに嵌め合わされてスナップ嵌め合いを形成することができる。
【００７６】
図２および３を参照すると、ストッパ１０を組み立てたときに、コイルスプリング５５０の上端部分５５４は、上方プラットホーム５６２の下面５６４に当接し、下方へ延在する側壁５６６に囲まれる。したがって、コイルスプリング５５０は、キャップ５１４の上方プラットホーム５６２の下面５６４と、カラー５１８の基礎部分５３８の底部内表面５４０との間に閉じ込められる。
【００７７】
図１３および１４に戻ると、リンク部材５１０は、キャップ５１４が弁筺体３２０（図２および３を参照のこと）の内側にあるときに、キャップの上面５６３に係合するように構成される。リンク部材５１０は、閉口上端部分５７８から下方へ延在する側壁５８４と、閉口上端部分５７８に対向する開口下方部分５８６とを有する直立した中空の円筒セクション５８２の閉口上端部５７８上に配置された、カム表面２００を含む。ストッパ１０を組み立てたときに、開口下方部分５８６がキャップ５１４の上面５６３に当接して、リンク部材５１０に付与される任意の下向きの力をキャップ５１４に伝達する。
【００７８】
レバー部材７４のカム従動子部分１６０は、レバー部材が閉口位置（図１および２を参照のこと）から開口位置（図３を参照のこと）に旋回されたときに、リンク部材５１０のカム表面２００に押し当る。
【００７９】
カム表面２００は、切欠部分５９０を含む。押しボタン７０が押下げられたときに、レバー部材７４のカム従動子部分１６０は、カム表面２００に沿って切欠部分５９０の方へ移動する。レバー部材７４は、カム従動子部分１６０を切欠部分５９０の内側に完全に受容されたときに、完全に開口位置（図３を参照のこと）となる。切欠部分５９０は、十分な下向きの力が、レバー部材７４のフラップ部分１３６に付与されて、カム従動子部分１６０が切欠部分５９０から外れるまで、レバー部材７４を完全開口位置に維持する。
【００８０】
図２および３を参照すると、キャップ５１４、カラー５１８、リンク部材５１０、および付勢部材５１６は、適切にサイズ設定され、内体４２が外体４０に連結されたときに、内体４２の弁筐体３２０内を移動する（例えば、摺動する）ように形成される。弁筺体３２０は、キャップ５１４の、ストッパ１０の内側部分３６内の移動を案内し制限する助けとなる。
【００８１】
図１４および１５を参照すると、リンク部材５１０は、閉口端部分５７８と開放端部分５８６との間の、円筒セクション５８２の側壁５８４に沿って延在する、キー突起５９４を含む。キー突起５９４は、弁筺体３２０の側壁３２４の案内溝３２８の内側で受容され、案内溝の長さの少なくとも一部に沿ってその中を摺動するように構成される。キー突起５９４と案内溝３２８間の係合は、カム表面２００が、レバー部材７４のカム従動子部分１６０に対して適切に配向されるようにし、それらの間の係合を適切なものとする。
【００８２】
［流体および空気流］
図３を参照すると、ストッパ１０が開口位置にあるときに、容器１２（図１および２を参照のこと）の内容物は、容器の内側部分１５（図１および２を参照のこと）から流体流路３００を通って流れることができる。最初に、容器１２（図１および２を参照のこと）の内容物は、開口部３７２を通って外体４０に入る。その後、内容物は、第１の開口３１０を経て流体流路３００に入る。次に、内容物は、流体流路３００を通って注ぎ口２６４の方へ流れ、注ぎ口２６４によって案内されて、第１の開口２１０を通って流体流路３００を出る。
【００８３】
同時に、空気は、弁筐体部分３０６を通って、容器１２（図１および２を参照のこと）の内側部分１５（図１および２を参照のこと）内に流れ込むことができる。上述のように、空気は、上部カバー６０と外体４０との間を流れ、環状封止部材４３（図２および３を参照のこと）の上方に位置する内側部分３６の部分２７１（図２および３を参照のこと）内に流れ込む。図８を参照すると、空気は、隙間２７０を通って、内体４２の内側部分２５６の領域「Ｒ１」および「Ｒ３」内に流れ込む。任意選択で、空気は、隙間２７０Ａを通って、内体４２の内側部分２５６の領域「Ｒ２」の弁筺体部分３０６内に流れ込むことができる。空気は、次いで、領域「Ｒ１」および「Ｒ３」から、空気流間隙２９６Ａおよび２９６Ｂ、ならびに空気流間隙２９８Ａおよび２９８Ｂ（図１５を参照のこと）を経て、領域「Ｒ２」の弁筐体部分３０６内に流れ込む。図３に戻ると、空気は、第２の開口３１２を通って外体４０内に流れ込む。最後に、空気は、開口部３７２を通って、容器１２（図１および２を参照のこと）の内側部分１５（図１および２を参照のこと）内に入ることができる。
【００８４】
図２を参照すると、ストッパ１０が閉口位置にあるときに、容器１２の内容物は、環状シール６４と、弁部材４８の栓部分５４との間に形成された液密シールによって、容器の内側部分１５内に維持される。弁部材４８の栓部分５４は、環状シール６４の下方表面４１８に押し当たり、容器１２の内容物が開口部３７２を通って外体４０に入らないようにする。容器１２への空気流は、環状シール６４と、弁部材４８の栓部分５４との間に形成されたシールによっても阻止される。図示の実施形態では、下方封止部分４１６の下方表面４１８に沿って形成された、下方へ延在する封止突起４２０も栓部分５４に係合して、該栓部分との液密シールを形成する。
【００８５】
［組み立て］
図２を参照して、以下に、ストッパ１０の組み立ておよび分解方法を説明する。最初に、環状シール６４を、外体４０の外壁３５４の底部セグメント３６０−３に連結するのがよい。次いで、弁部材４８の軸部分５０を、外体４０の内部接続部分３６８の底端部分３８０（図１１を参照のこと）の、中央に位置する貫通孔３８２（図１１を参照のこと）内に上向きに挿入する。
【００８６】
次に、カラー５１８を、接続部分５２０と、栓部分５４に連結される遠位端５６との間の、弁部材４８の軸部分５０の周囲に配置する。任意選択で、カラー５１８を、外体４０の内部接続部分３６８の、部分的に閉じた底端部分３８０（図１１を参照のこと）上に載置するか、あるいは、貫通孔３８２（図１１を参照のこと）の内側に配置することができる。しかしながら、上述のように、貫通孔３８２（図１１を参照のこと）は、カラー５１８が通り抜けることができない大きさである。
【００８７】
次に、付勢部材５１６をカラー５１８の周囲に配置して、その下端部５５６を基礎部分５３８の底部内表面５４０上に載置する。次いで、弁部材４８の軸部分５０の円錐形キー部材５２４（図１３を参照のこと）を、キャップ５１４のキー溝部分５７０（図１３を参照のこと）に挿入し、キー溝部分５７０に沿った上方プラットホーム５６２の部分５８０（図１３を参照のこと）を、キー部材５２４（図１３を参照のこと）の下の環状溝５２８の内側で受容して、キャップ５１４を弁部材４８の軸部分５０上に保持する。付勢部材５１６は、上方プラットホーム５６２の下面５６４に当接し、キャップ５１４の、下方へ延在する側壁５６６に囲まれる。したがって、付勢部材５１６は、キャップ５１４の上方プラットホーム５６２の下面５６４と、カラー５１８の基礎部分５３８の底部内表面５４０との間に閉じ込められる。
【００８８】
ある時点で、環状封止部材４３（例えば、Ｏリング）を、外方および半径方向に延在する環状突起３３８の上方で、内体４２の外壁２５８の第１の中間セグメント２６０−２の周囲に配置する。次いで、内体４２を、外体４０の内側に入れ子にする。内体４２を外体４０に挿入するときに、弁部材４８の軸部分５０を、その上に配置されたカラー５１８と、付勢部材５１６と、キャップ５１４とともに、内体４２の弁筺体３２０に挿入する。次いで、内体４２および外体４０のうちの少なくとも１つを他方に対して回転させることによって、内体４２の接続部分３３０を、外体４０の内部接続部分３６８に連結して、接続部分３３０の雄ねじ３３２を、内部接続部分３６８の雌ねじ３８６（図１１を参照のこと）に係合する。
【００８９】
リンク部材５１０を、弁筺体３２０の側壁３２４の案内溝３２８の内側にキー突起５９４が挿入されるようにして、内体４２の弁筺体３２０内に挿入し、内体４２に対して、リンク部材５１０のカム表面２００を適切に配向する。弁筐体３２０に挿入した後、リンク部材５１０を、該弁筐体中に配置されたキャップ５１４上に載置される。
【００９０】
ある時点で、レバー部材７４の接続部分１７０を、押しボタン７０に連結されている接続部分１０６Ａおよび１０６Ｂに連結することによって、レバー部材７４および押しボタン７０を一緒に組み立てる。次いで、図３を参照して、横旋回ピン１６２の第１の端部分１６４Ａおよび第２の端部分１６４Ｂ（図５を参照のこと）を、押しボタン７０の側壁１０８の底部分１０４が、上部カバー６０の棚部分２３０に隣接して配置されるようにして、上部カバー６０の案内壁２２４Ａおよび２２４Ｂの切り欠き２２５Ａおよび２２５Ｂ（図７を参照のこと）に挿入する。次に、上部カバー６０を、内体４２の上部セグメント２６０−１（図８を参照のこと）の上方部分２６２（図８を参照のこと）に固定する。最初に、レバー部材７４のフラップ部分１３６を、第１の開口２１０から離れるように上方へ回転させ、次いで、注ぎ口２６４を、第１の開口２１０の切欠部分２１８内に慎重に位置決めする。
【００９１】
次に、フィンガ２６６（図８を参照のこと）の、外方且つ半径方向に延在する突起２６８（図８を参照のこと）を、突起２４４（図６を参照のこと）の上方のチャネル２４６（図６を参照のこと）内に挿入する。この時、レバー部材７４の横旋回ピン１６２を、内体４２の切り欠き２９２Ａおよび２９２Ｂ（図８を参照のこと）内に着座させる。また、フラップ部分１３６も、注ぎ口２６４の側面に位置する直立支持壁２７８Ａおよび２７８Ｂ（図８を参照のこと）のフラップ支持部分２８６Ａおよび２８６Ｂ（図８を参照のこと）上に載置するように位置決めする。
【００９２】
ストッパ１０を洗浄するには、その構成要素を分解する。ストッパ１０は、単純に上述のアセンブリ方法を逆に行うことによって分解することができる。最初に、上部カバー６０を取り外す。次いで、レバー部材７４および押しボタン７０を取り外す。次に、内体４２を外体４０から取り外し、状況に応じて、環状封止部材４３を内体４２から取り外す。リンク部材５１０を、弁筺体３２０から取り外す。次に、キャップ５１４を弁部材４８の軸部分５０から分離して、カラー５１８および付勢部材５１６を外体４０から取り外すことができるようにする。キャップ５１４を取り外すことによって、弁部材４８も外体４０から取り外すことができる。最後に、環状シール６４を外体４０から取り外すことができる。
【００９３】
上述の実施形態は、異なる他の構成要素の中に含まれる、またはそれらと接続される異なる構成要素を示している。このような示された構成は、単に例示的なものに過ぎず、実際には、同じ機能性を達成する他の多数の構成を実現することができるものと理解されたい。概念上、所望の機能性が達成されるように、同じ機能性を達成するあらゆる構成要素の構成が効果的に「関連付け」られる。したがって、特定の機能性を達成するように組み合わせた本願明細書のいかなる２つの構成要素も、構成または中間の構成要素に関わらず、所望の機能性が達成されるように、互いに「関連付け」られたものとみなすことができる。同様に、そのように関連付けられたいかなる２つの構成要素も、所望の機能性を達成するように、互いに「動作可能に接続される」、または「動作可能に連結される」ものとみなすこともできる。
【００９４】
本発明の特定の実施形態を示して説明したが、当業者には、本願明細書の教示に基づいて、本発明の側面およびより広範な側面から逸脱することなく、本発明の変更および改良を行うことができ、したがって、添付の請求項は、そのような全ての変更および改良を、本発明の真の精神および範囲内にあるものとして、それらの範囲内に包含されるものとする。さらに、本発明は、専ら添付の特許請求の範囲によって定義されるものと理解されたい。当業者は、概して、本願明細書、特に添付の特許請求の範囲（例、添付の特許請求の範囲の本体）で使用される用語は、概して「開かれた」用語を意図したものである（例えば、「含む」という用語は、「含むがこれに限定されない」と解釈されるべきであり、「有する」という用語は、「少なくとも〜を有する」と解釈されるべきであり、「備える」という用語は、「備えるがこれに限定されない」と解釈されるべきである、等）と理解されよう。さらに、当業者は、特定の数の導入された請求項の記載を意図した場合は、そのような意図が請求項内に明確に記載され、また、そのような記載が無ければ、そのような意図は存在しないものと理解されよう。例えば、理解を援助するものとして、以下の添付の特許請求の範囲は、請求項の記載を導入するために、「少なくとも１つの」および「１つ以上の」という導入的な句の使用を含む場合がある。しかしながら、このような句の使用は、同じ請求項が、導入句「１つ以上」または「少なくとも１つ」、および「ａ」または「ａｎ」のような不定冠詞を含む場合であっても、不定冠詞「ａ」または「ａｎ」による請求項の記載の導入は、このように導入された請求項の記載を含むあらゆる特定の請求項を、このような記載を１つしか含まない発明に制限するという意味を含むものであると解釈されるべきではない（例えば、「ａ」および／または「ａｎ」は、一般的に、「１つ以上」または「少なくとも１つ」を意味するものとして解釈されるべきである）。同じことが、請求項の記載の導入に使用される定冠詞の使用にも当てはまる。加えて、特定の数の導入された請求項の記載が明確に説明された場合であっても、当業者は、そのようなｋ委細は、一般的に、少なくとも説明された数を意味する（例えば、他の修飾句の無い、「２つの記載」のそのままの記載は、一般的に、少なくとも２つの記載、または２つ以上の記載を意味する）ものと解釈すべきであると認識されよう。
【００９５】
したがって、本発明は、添付の特許請求の範囲によって制限された場合を除いて制限されない。
【図１】
2010188111.tif 000003
【図２】
2010188111.tif 000004
【図３】
2010188111.tif 000005
【図４】
2010188111.tif 000006
【図５】
2010188111.tif 000007
【図６】
2010188111.tif 000008
【図７】
2010188111.tif 000009
【図８】
2010188111.tif 000010
【図９】
2010188111.tif 000011
【図１０】
2010188111.tif 000012
【図１１】
2010188111.tif 000013
【図１２】
2010188111.tif 000014
【図１３】
2010188111.tif 000015
【図１４】
2010188111.tif 000016
【図１５】
2010188111.tif 000017